(57)【要約】【課題】　開口穴での渦の低減と超音波送受信器から発信された超音波の不要成分の減衰促進により、超音波の送信波形のＳ／Ｎを高めて計測精度および流量計測できる上限値を高める。【解決手段】　流体が流れる計測流路と、この計測流路の上流側および下流側に設けた超音波送受信器９と、この超音波送受信器９を計測流路に臨ませる上流側および下流側の開口穴１２と、開口穴１２の内面に配設した電気絶縁性を有する材料で形成した開口穴絶縁体２１と、開口穴に流入抑制体１４を備えている。これによって、コンパクトな収納スペースでも開口穴絶縁体２１により超音波送受信器９と開口穴１２を形成する流路体との間の導電距離を大きくし、落雷などにより取付側の流路体と超音波送受信器間に異常高電圧が発生した場合でもリークに至る耐電圧を高め、リーク電流による超音波送受信器９の破損を防いで信頼性を向上できる。【選択図】　図３
2004037468.tif 000002
【特許請求の範囲】
【請求項１】
流体が流れる計測流路と、この計測流路の上流側および下流側に設けた超音波送受信器と、この超音波送受信器を前記計測流路に臨ませる上流側および下流側の開口穴と、前記開口穴の内面に配設した電気絶縁性を有する材料で形成した開口穴絶縁体と、前記開口穴に流入抑制体を備えた超音波流量計測装置。
【請求項２】
流入抑制体の超音波送受信器側の面は超音波の伝搬方向と斜交させた請求項１項に記載の超音波流量計測装置。
【請求項３】
流入抑制体は電気絶縁材料で形成し、開口穴絶縁体の計測流路側の端部は流入抑制体に当接させた請求項１又は２項に記載の超音波流量計測装置。
【請求項４】
流入抑制体と開口穴絶縁体は一体化した請求項１から３いずれか１項に記載の超音波流量計測装置。
【請求項５】
流入抑制体は超音波が通過可能な多数の微細な開口を持つ超音波透過体を開口窓に備えた請求項１から４のいずれか１項に記載の超音波流量計測装置。
【請求項６】
流入抑制体は樹脂材料で形成し、超音波透過体を溶着接合した請求項１から５いずれか１項記載の超音波流量計測装置。
【請求項７】
流入抑制体を形成する樹脂材料はグラスファイバーを混入させた請求項６項記載の超音波流量計測装置。
【請求項８】
流入抑制体は超音波の吸音手段を備えた請求項１から７いずれか１項記載の超音波流量計測装置。
【請求項９】
流入抑制体は多孔性材料で形成した請求項１から５いずれか１項記載の超音波流量計測装置。
【請求項１０】
開口穴絶縁体は超音波の吸音手段を備えた請求項１から９のいずれか１項に記載の超音波流量計測装置。
【請求項１１】
開口穴絶縁体の超音波が通過する断面形状は計測流路側に向かうにつれて開口窓の形状に漸近する形状とした請求項１から１０のいずれか１項に記載の超音波流量計測装置。
【発明の詳細な説明】
【技術分野】
【０００１】
　本発明は、超音波により気体や液体の流量や流速の計測を行う超音波流量計測装置に関するものである。
【背景技術】
【０００２】
　従来この種の超音波流量計測装置には、図１６に示すように流体を一方から他方に流す測定管１を挟んで対向し、かつ中心線に対して所定角度を傾けて上流側の超音波送受信器２ａと下流側の超音波送受信器２ｂとを対向して設け、これらの超音波送受信器２ａ、２ｂは測定管１に設けた凹部３ａ、３ｂに収納するとともに、測定管１の入口側４に流れ変動抑止手段５を設けている。そして、測定管１に入る流れは流れ変動抑止手段５により規制して、計測部での流線の傾きを低減したり渦の発生を抑制して、流れの乱れの境界面での超音波の反射や屈折による超音波の受信レベルの変動を低減して測定精度の悪化を防止している（例えば、特許文献１参照）。
【特許文献１】特開平１１−３５１９２６号公報
【発明の開示】
【発明が解決しようとする課題】
【０００３】
　このような従来の構成では、流れ変動抑止手段５により測定管１の計測部および凹部３ａ、３ｂでの流れの乱れが小さくなり計測精度の悪化は低減されるものの、測定管１を流れる流量が大きくなると凹部３ａ、３ｂへ流体が流れ込んで渦を生じるため、超音波送受信器２ａ、２ｂ間の流れの乱れが増大し、この増大した渦により超音波が反射あるいは屈折されて超音波の受信レベルが低下するため、超音波送受信器２ａ、２ｂの駆動入力を低減し難いという課題があった。
【０００４】
　本発明は上記課題を解決するもので、開口穴への流体の流れ込みによる渦を低減して超音波の減衰を少なくして超音波の受信レベルを高め、さらに超音波送受信器から発信された超音波のうち側方に発信されたため受信側に直接向かわない不要成分の減衰を促進して超音波の送信波形のＳ／Ｎを高めて計測精度および流量計測できる上限値を高めることを目的とする。
【課題を解決するための手段】
【０００５】
　前記従来の課題を解決するために、本発明の超音波流量計測装置は、流体が流れる計測流路と、この計測流路の上流側および下流側に設けた超音波送受信器と、この超音波送受信器を前記計測流路に臨ませる上流側および下流側の開口穴と、前記開口穴の内面に配設した電気絶縁性を有する材料で形成した開口穴絶縁体と、前記開口穴に流入抑制体を備えたものである。
【０００６】
　このようにして、コンパクトな収納スペースでも開口穴絶縁体により超音波送受信器と開口穴を形成する流路体との間の導電距離を大きくし、落雷などにより取付側の流路体と超音波送受信器間に異常高電圧が発生した場合でもリークに至る耐電圧を高め、リーク電流による超音波送受信器の破損を防いで信頼性を向上でき、小型化が促進できる。
【発明の効果】
【０００７】
　以上の説明から明らかなように本発明の超音波流量計測装置によれば、コンパクトな収納スペースでも開口穴絶縁体により超音波送受信器と開口穴を形成する流路体との間の導電距離を大きくし、落雷などにより取付側の流路体と超音波送受信器間に異常高電圧が発生した場合でもリークに至る耐電圧を高め、リーク電流による超音波送受信器の破損を防いで信頼性を向上でき、小型化が促進できる。
【発明を実施するための最良の形態】
【０００８】
　本発明の一実施形態は、被測定流体が流れる計測流路と、この計測流路の上流側および下流側に設けた超音波送受信器と、この超音波送受信器を前記計測流路に臨ませる上流側および下流側の開口穴と、前記計測流路と前記開口穴とを連通させ開口穴の断面積よりも小さい開口窓を有し計測流路の流路壁に略面一に配設した流入抑制体を備えたことにより、被計測流体の開口穴への流れ込みを低減し、開口穴での渦の発生を低減して渦による超音波の減衰を低下させて送受信レベルを高め、さらに超音波送受信器と開口窓を有する流入抑制体の間に開口穴による広がり空間を形成することで超音波送受信器の側方に発信された不要な超音波を開口穴内で多重反射させて減衰を促進し、開口窓を直接通過する直接波の割合を高めてノイズの少ない送信波形を得ることができる。このため、超音波の送受信レベルの向上とＳ／Ｎ特性を高めた超音波の送受信により、計測精度および流量計測できる上限値を高め、超音波の送受信レベル向上により超音波送受信器の駆動入力を低減して低入力化でき、電池などによる低電圧駆動でも長期間の動作を実現できる。
【０００９】
　本発明の一実施形態は、被測定流体が流れる計測流路と、この計測流路の上流側および下流側に設けた超音波送受信器と、この超音波送受信器を前記計測流路に臨ませる上流側および下流側の開口穴と、前記計測流路と前記開口穴とを連通させ開口穴の断面積よりも小さい開口窓を有し計測流路の流路壁に略面一配設した流入抑制体と、前記開口穴の内面に配設した電気絶縁性を有する材料で形成した開口穴絶縁体を備えている。このため、コンパクトな収納スペースでも開口穴絶縁体により超音波送受信器と開口穴を形成する流路体との間の導電距離を大きくし、落雷などにより取付側の流路体と超音波送受信器間に異常高電圧が発生した場合でもリークに至る耐電圧を高め、リーク電流による超音波送受信器の破損を防いで信頼性を向上でき、小型化が促進できる。さらに、請求項１と同様に開口穴での渦発生の低減と不要な超音波を開口穴内で多重反射により減衰させ、超音波の送受信レベルの向上とＳ／Ｎ特性を高めた超音波の送受信により、計測精度および流量計測できる上限値を高め、超音波の送受信レベル向上により超音波送受信器の駆動入力を低減して低入力化できる。
【００１０】
　本発明の一実施形態は、流入抑制体の超音波送受信器側の面は超音波の伝搬方向と斜交させたことにより、開口窓を通過しない不要の超音波が流入抑制体に当ると超音波送受信器側に戻る方向に反射せずに開口穴の側壁側に反射するため，多重反射を促進して不要な超音波の減衰を一層促進できる。このため、Ｓ／Ｎ特性を高めた超音波の送受信を一層高めて計測精度を向上できる。
【００１１】
　本発明の一実施形態は、流入抑制体は電気絶縁材料で形成し、開口穴絶縁体の計測流路側の端部は流入抑制体に当接させたことにより、超音波送受信器を計測流路側により一層接近させて配置しても超音波送受信器と計測流路を形成する流路壁との間の導電距離を大きくでき、落雷などによる異常高電圧が発生した場合でもリークに至る耐電圧を高めてリーク電流による超音波送受信器の破損を防止して信頼性を向上でき、さらに超音波送受信器を計測流路側により一層接近させて配置できるため小型化を一層促進できる。
【００１２】
　本発明の一実施形態は、流入抑制体と開口穴絶縁体は一体化したことにより、流入抑制体と開口穴絶縁体との当接部での電気絶縁性をより一層高めて信頼性を向上できる。さらに流入抑制体と開口穴絶縁体との位置関係のバラツキを低減して計測精度の安定性を向上でき、部品点数の削減により低コスト化できる。
【００１３】
　本発明の一実施形態は、流入抑制体は超音波が通過可能な多数の微細な開口を持つ超音波透過体を開口窓に備えたことにより、被計測流体の開口穴への流れ込みを大幅に低減し、開口穴内での渦の発生を大きく低減して渦による超音波の減衰を一層低減できる。このため、超音波の送受信レベルを一層向上してＳ／Ｎ特性を一層高めた超音波の送受信ができ、計測精度および流量計測できる上限値を向上できる。
【００１４】
　本発明の一実施形態は、流入抑制体は樹脂材料で形成し、超音波透過体を溶着接合したことにより、流入抑制体と超音波透過体とは面一に接合可能にでき、計測流路の流路壁と流入抑制体の超音波透過体の取付部の面一性を向上して計測流路壁面近傍での流れの乱れを防止して計測精度および流量計測できる上限値を向上できる。さらに、流入抑制体と超音波透過体との確実な一体化ができ、信頼性を向上できる。
【００１５】
　本発明の一実施形態は、流入抑制体を形成する樹脂材料はグラスファイバーを混入させたことにより、熱膨張率に低減して加熱溶着作業後の超音波透過体はその表面の平坦性に維持でき、凹凸の発生を防止して計測流路の流れを安定化できる。
【００１６】
　本発明の一実施形態は、流入抑制体は超音波の吸音手段を備えたことにより、開口窓を通過しない不要の超音波が流入抑制体に当った超音波は吸音されて不要な超音波の減衰を一層促進できる。このため、Ｓ／Ｎ特性を高めた超音波の送受信を一層高めて計測精度を向上できる。
【００１７】
　本発明の一実施形態は、流入抑制体は多孔性材料で形成したことにより、流入抑制体のコンパクト化と形状および寸法の安定化による吸音効果の安定化が可能となり、計測装置の小型化と信頼性の向上ができる。
【００１８】
　本発明の一実施形態は、開口穴絶縁体は超音波の吸音手段を備えたことにより、超音波送受信器の側方に発信された不要な超音波は開口穴絶縁体に設けた吸音手段により吸音されて減衰を促進でき、開口窓を直接通過する直接波の割合を高めてより一層ノイズの少ない送信波形を得ることができる。このため、超音波の送受信レベルの向上とＳ／Ｎ特性を高めた超音波の送受信により、計測精度および流量計測できる上限値を高めることができ、開口穴絶縁体の電気絶縁性により落雷などにより取付側の流路体と超音波送受信器間に異常高電圧が発生した場合でもリークに至る耐電圧を高め、リーク電流による超音波送受信器の破損を防いで信頼性を向上できる。
【００１９】
　本発明の一実施形態は、開口穴絶縁体の超音波が通過する断面形状は計測流路側に向かうにつれて開口窓の形状に漸近する形状としたことにより、開口窓を通過した超音波は開口穴内での散逸が低減されて受信側の超音波送受信器に到達でき、感度を高めた超音波の送受信により、計測精度および流量計測できる上限値を高めることができる。
【００２０】
　以下、本発明の実施の形態について図面を参照して説明する。
【００２１】
　（実施の形態１）
　図１は本発明の実施の形態１における超音波流量計測装置の断面図である。図１において、６は流路体７に囲まれた計測流路であり、８および９は互いに対向するように流路体７に振動伝達抑止体１０を介して取付けた上流側および下流側の超音波送受信器であり、上流側の超音波送受信器８と下流側の超音波送受信器９は距離Ｌを隔てるとともに計測流路６の流体の流動方向に対して角度θ傾けて設置されている。１１、１２は超音波送受信器８、９を計測流路６に臨ませる上流側および下流側の開口穴であり、流路体７に対して窪みとなっている。１３は対向する超音波送受信器８および９間で送信された超音波が壁面に反射すること無く直接相手側の超音波送受信器に伝搬する超音波伝搬路（二点鎖線で領域を示す）である。１４は計測流路６と開口穴１１、１２とを連通させ開口穴１１、１２の断面積よりも小さい開口窓１５を有するとともに計測流路６の流路壁６ａに略面一に配設した流入抑制体である。なお、振動伝達抑止体１０は超音波送受信器８、９を防振支持するとともに被測定流体が漏れないように気密シールも行っている。
【００２２】
　１６は超音波伝搬路１３の上流側に設け計測流路６の流れを安定化するとともに上流側および下流側の開口穴１１、１２への被測定流体の流れ込みを低減させる流れ安定手段であり、この流れ安定手段１６は被測定流体の流れ方向を整える方向規制部１６ａと流速分布の均一化あるいは流れの脈動を低減する変動抑制部１６ｂを有し、方向規制部１６ａと変動抑制部１６ｂは距離Ｘだけ離れた近傍に配置し流路体７に設けた窪み部７ａに嵌め込むようにして設置している。この方向規制部１６ａは計測流路６の横断面を流れ方向に延びる仕切壁により細かく分割した細分割口が複数設けられている（図示せず）。また、変動抑制部１６ｂは流れ方向の長さが短く計測流路６の横断面に対して多数の微細形状の開口（図示せず）を有するもので、ここでは変動抑制部１６ｂをメッシュで形成している。
【００２３】
　図２は流入抑制体１４の取付部を拡大して示すものであり、流路体７に設けた凹部７ｂに流入抑制体１４を挿入して計測流路６側の表面１４ａが計測流路６の流路壁６ａに対して面一としている。また、開口窓１５の開口面積を開口穴１２の断面積よりも小さくし、開口穴１２は超音波送受信器９の外形寸法Ｄよりも大きくしているので、超音波送受信器９の前方には超音波伝搬路１３に入るまでに広がり空間部１２ａが形成されている。さらに、流入抑制体１４の超音波送受信器９側の裏面１４ｂは超音波の伝搬方向（超音波伝搬路１３で示す方向）に対して直交せずに斜めに交わる角度に配設している。なお、ここでは下流側の開口穴１２部を示したが、上流側の開口穴１１部でも流入抑制体１４により同様の広がり空間部１１ａ（図示せず）を形成している。
【００２４】
　１７は計測流路６の上流側に設けた開閉弁（図示せず）に連通する上流側の屈曲部、１８は計測流路６の下流側に設けた出口（図示せず）に連通する下流側の屈曲部であり、屈曲部１７、１８により流路がコンパクトに構成されている。１９は超音波送受信器８，９に接続され超音波の送受信をさせる計測制御部であり、２０は計測制御部１９での信号を基に流速を計算し流量を算出する演算部である。
【００２５】
　次に超音波による流量計測動作を説明する。計測流路６の超音波伝搬路１３では、流れに対して計測制御部１９の作用により超音波送受信器８，９間で計測流路６を横切るようにして超音波の送受が行われる。すなわち、上流側の超音波送受信器８から発せられた超音波が下流側の超音波送受信器９で受信されるまでの伝搬時間Ｔ１を計測する。また一方、下流側の超音波送受信器９から発せられた超音波が上流側の超音波送受信器８で受信されるまでの伝搬時間Ｔ２を計測する。
【００２６】
　このようにして測定された伝搬時間Ｔ１およびＴ２を基に、以下の演算式により演算部２０で流量が算出される。
【００２７】
　いま、計測流路６の長手方向の被計測流体の流速Ｖと超音波伝搬路１３とのなす角度をθとし、超音波送受信器８，９間の距離をＬ、被測定流体を伝搬する超音波の音速をＣとすると、流速Ｖは以下の式にて算出される。
【００２８】
　Ｔ１＝Ｌ／（Ｃ＋Ｖｃｏｓθ）
　Ｔ２＝Ｌ／（Ｃ−Ｖｃｏｓθ）
　Ｔ１の逆数からＴ２の逆数を引き算する式より音速Ｃを消去して
　Ｖ＝（Ｌ／２ｃｏｓθ）（（１／Ｔ１）−（１／Ｔ２））
　θおよびＬは既知なのでＴ１およびＴ２の値より流速Ｖが算出できる。
【００２９】
　次に、計測流路６の流れ方向に直交する横断面積Ｓより、流量Ｑは
　Ｑ＝ＫＶＳ
　ここで、Ｋは横断面積Ｓにおける流速分布を考慮した流量補正係数である。
【００３０】
　このようにして演算部２０で流量を求める。
【００３１】
　次に、この超音波流量計測装置の計測流路内の流れ状態と計測動作について説明する。被計測流体が計測流路６の上流側に設けた開閉弁（図示せず）での流路断面積の拡大縮小あるいは屈曲部１７を流れることなどにより偏流あるいは流れの脈動を生じたまま計測流路６に入る。計測流路６では超音波伝搬路１３の上流側に設けた流れ安定手段１６の方向規制部１６ａにより計測流路６断面内の流れは開口穴１１、１２に流入しにくい方向に整流された流れにするとともに流れの乱れを低減させる。次に、変動抑制部１６ｂは脈動などの流れ変動による乱れを低減して開口穴１１、１２への流入をより一層抑える状態にして超音波伝搬路１３に流入させる。さらに、変動抑制部１６ｂは方向規制部１６ａの複数の細分割口から流出して噴流状になった流れを平坦化して流速分布を安定化する作用がある。さらに、上流側および下流側の開口穴１１、１２では流入抑制体１４の開口窓１５はその開口面積を開口穴よりも小さくするとともに、流路壁６ｂに対して面一として計測流路６の流れを乱さないようにしているため、被計測流体の開口穴１１、１２への流れ込みの低減がなされ、開口穴１１、１２内での渦の発生が低減でき、渦による超音波の減衰が低下できて送受信レベルを高めることができ、さらに超音波送受信器８、９と開口窓１５を有する流入抑制体１４の間に広がり空間１１ａ、１２ａを形成することで超音波送受信器８、９の側方に発信された不要な超音波を開口穴１１、１２内で多重反射させて減衰を促進し、開口窓を直接通過する直接波の割合を高めてノイズの少ない送信波形を得ることができる。
【００３２】
　このため、超音波の送受信レベルの向上とＳ／Ｎ特性を高めた超音波の送受信により、計測精度および流量計測できる上限値を高め、超音波の送受信レベル向上により超音波送受信器の駆動入力を低減して低入力化でき、電池などによる低電圧駆動でも長期間の動作を実現できる。また、流入抑制体１４は流路体７とは別部材としているので、被測定流体の種類や計測すべき流量範囲に対して、計測流路６は共通のままで開口窓１５は適切な面積あるいは適切な形状に任意に設定することで多用な利用条件に対応でき、利便性あるいは機能性を向上できる。
【００３３】
　また、流入抑制体１４の超音波送受信器８、９側の裏面１４ｂは超音波の伝搬方向と直交せずに斜交させたことにより、開口窓１５を通過せずに流入抑制体１４の裏面１４ｂに当った不要な超音波は超音波送受信器側に戻る方向に反射せずに開口穴１１、１２の側壁１１ｂ、１２ｂ側に反射し，多重反射が促進されて不要な超音波の減衰を一層促進できる。このため、Ｓ／Ｎ特性を高めた超音波の送受信を一層高めて計測精度を向上できる。
【００３４】
　以上のように、本実施の形態においては開口穴の断面積よりも小さい開口窓を有し計測流路の流路壁に面一に配設した流入抑制体を備えたことにより、被計測流体の開口穴への流れ込みを低減して開口穴での渦の発生を低減して渦による超音波の減衰を低下させて送受信レベルを高めることができ、さらに超音波送受信器と開口窓を有する流入抑制体の間に開口穴による広がり空間を形成することで超音波送受信器の側方に発信された不要な超音波を開口穴内で多重反射させて減衰を促進して開口窓を直接通過する直接波の割合を高めてノイズの少ない送信波形を得ることができ、超音波の送受信レベルの向上とＳ／Ｎ特性を高めた超音波の送受信により、計測精度および流量計測できる上限値を高め、超音波の送受信レベル向上により超音波送受信器の駆動入力を低減して低入力化でき、電池などによる低電圧駆動でも長期間の動作を実現できる。
【００３５】
　また、本実施の形態では流入抑制体の超音波送受信器側の面は超音波の伝搬方向と斜交させたことにより、開口窓を通過しない不要の超音波の多重反射を促進して不要な超音波の減衰を一層促進でき、Ｓ／Ｎ特性を高めた超音波の送受信を一層高めて計測精度を向上できる。
【００３６】
　（実施の形態２）
　図３は本発明の実施の形態２を示す超音波流量計測装置の部分断面図を示し、ここでは下流側の開口穴１２部を示すが上流側の開口穴１１部も同様であり、また図１、図２の実施の形態と同一部材、同一機能は同一符号を付し詳細な説明は省略し、異なるところを中心に説明する。
【００３７】
　２１は開口穴１２の内面に配設した電気絶縁性を有する材料で形成した開口穴絶縁体であり、この開口穴絶縁体２１は超音波送受信器９の外周側を取り囲むように設けると共に、その一端２１ａは超音波送受信器９を防振支持および気密シールする振動伝達抑止体１０に接している。また、超音波送受信器９は金属材料で形成したケース２２の内面に圧電体２３を接合し、ケース２２の外面に音響整合層２４を接合するとともに、ケース２２を金属材料で形成した支持台２５に気密に接合している。２６は接続端子であり、一方の接続端子２６ａは導電体２７を介して圧電体２３の一端に電気的に接続され、他方の接続端子２６ｂは支持台２５およびケース２２を介して圧電体２３の他端に電気的に接続されている。２８は接続端子２６ａと接続端子２６ｂとを電気絶縁し気密シールする封口体である。２９は振動伝達抑止体１０が脱落しないように流路に押える固定体である。この振動伝達抑止体１０は、防振支持性と気密シール性に加えて、電気抵抗の大きなゴムなどの材料で形成して電気絶縁性を付与し、また、固定対２９は、樹脂などの電気抵抗の大きな材料で形成して電気絶縁性を与えている。
【００３８】
　ここで、流路体７を形成する材料として耐久性、強度、耐食性に優れたダイキャスト合金などの金属材料で形成した場合、電気絶縁材料である開口穴絶縁体２１で超音波送受信器９を取り囲むことにより、超音波送受信器９と流路体７との導電距離が大きく設定できる。さらに、電気絶縁性を有した振動伝達抑止体１０および固定体２９で流路体７に固定支持するとともに、電気絶縁材料である開口穴絶縁体２１の一端２１ａを振動伝達抑止体１０に当接させることで超音波送受信器９を取り囲むことにより、流路体７と超音波送受信器９との導電距離を大きく設定できる。
【００３９】
　このため、コンパクトな収納スペースでも開口穴絶縁体２１により超音波送受信器と開口穴を形成する流路体との間の導電距離を大きくし、落雷などにより取付側の流路体と超音波送受信器間に異常高電圧が発生した場合でもリークに至る耐電圧を高め、リーク電流による超音波送受信器の破損を防いで信頼性を向上でき、小型化が促進できる。さらに、流路壁６ａと面一に設置した流入抑制体１４と開口面積を低減した開口窓１５により、開口穴での渦発生の低減と不要な超音波を開口穴内で多重反射により減衰させ、超音波の送受信レベルの向上とＳ／Ｎ特性を高めた超音波の送受信により、計測精度および流量計測できる上限値を高め、超音波の送受信レベル向上により超音波送受信器の駆動入力を低減して低入力化できる。
【００４０】
　さらに、本実施の形態の応用として、開口穴１２の開口部断面積を縮めた開口窓１５を設けず、開口穴１２の開口部をそのままにし、超音波送受信機９の周囲を開口穴絶縁体で囲った構成を図４に示す。この構成では、振動伝達抑止体１０は防振支持性と気密シール性に加えて電気抵抗の大きなゴムなどの材料で形成して電気絶縁性を付与せしめ、また固定体２９は樹脂などの電気抵抗の大きな材料で形成して電気絶縁性を与えている。
【００４１】
　さらに、電気絶縁性を有した振動伝達抑止体１０および固定体２９で流路体７に固定支持するとともに、電気絶縁材料である開口穴絶縁体２１の一端２１ａを振動伝達抑止体１０に当接させることで超音波送受信器９を取り囲むことにより、流路体７と超音波送受信器９との導電距離を大きく設定できる。
【００４２】
　図４の構成では、開口穴の断面積を縮めた開口窓１５がなくなったため、超音波の減衰が少なく感度が向上する。加えて、開口窓がある場合その内側によどみが生ずるが、それがないため、ゴミなどの蓄積が防止でき信頼性が向上する。
【００４３】
　図５は開口穴１１、１２部の他の実施の形態を示す部分断面図であり、開口穴絶縁体２１の一端２１ａは超音波送受信器９を防振支持および気密シールする振動伝達抑止体１０に接するとともに、開口穴絶縁体２１の他端２１ｂは流入抑制体１４に接している。ここで、流入抑制体１４および振動伝達抑止体１０を絶縁材料で形成することにより超音波送受信器９は流路体７との電気絶縁距離を大きくでき、超音波送受信器９を計測流路６に接近させて配置することが可能になり計測部の小型コンパクト化ができる。
【００４４】
　このように、流入抑制体は電気絶縁材料で形成し、開口穴絶縁体の計測流路側の端部は流入抑制体に当接させたことにより、超音波送受信器を計測流路側により一層接近させて配置しても超音波送受信器と計測流路を形成する流路壁との間の導電距離を大きくでき、落雷などによる異常高電圧が発生した場合でもリークに至る耐電圧を高めてリーク電流による超音波送受信器の破損を防止して信頼性を向上でき、さらに超音波送受信器を計測流路側により一層接近させて配置できるため小型化を一層促進できる。
【００４５】
　さらに、図５の実施の形態の応用として図６に示すように、開口穴１２の開口部断面積を縮めた開口窓１５を設けず、開口穴１２の開口部をそのままにし、開口穴絶縁体２１を流入抑制体１４まで延設した構成がある。この構成では、開口穴の断面積を縮めた開口窓１５がなくなったため、超音波の減衰が少なく感度が向上する。加えて、開口窓がある場合その内側によどみが生ずるが、それがないため、ゴミなどの蓄積が防止でき信頼性が向上する。
【００４６】
　図７は開口穴１１、１２部の他の実施の形態を示す部分断面図であり、流入抑制体１４と開口穴絶縁体２１は一体化させるとともに、開口穴絶縁体２１の一端２１ａは振動伝達抑止体１０に接している。流入抑制体１４と開口穴絶縁体２１を一体化することで流入抑制体１４と開口穴絶縁体２１との間の電気絶縁を確実にできる。また、開口穴絶縁体２１と振動伝達抑止体１０との間の電気絶縁性の確保は、振動伝達抑止体１０を弾力性の有るゴムなどの材料で形成し、かつ接触力を与えて接触させて振動伝達抑止体１０を若干撓ませることにより信頼性を向上できる。
【００４７】
　このように、流入抑制体と開口穴絶縁体は一体化したことにより、流入抑制体と開口穴絶縁体との当接部での電気絶縁性をより一層高めて信頼性を向上できる。さらに流入抑制体と開口穴絶縁体との位置関係のバラツキを低減して計測精度の安定性を向上でき、部品点数の削減により低コスト化できる。
【００４８】
　以上のように、本実施の形態においては開口穴の断面積よりも小さい開口窓を有し計測流路の流路壁に面一に配設した流入抑制体と、前記開口穴の内面に配設した電気絶縁性を有する材料で形成した開口穴絶縁体を備えることにより、コンパクトな収納スペースでも開口穴絶縁体により超音波送受信器と開口穴を形成する流路体との間の導電距離を大きくでき、落雷などにより取付側の流路体と超音波送受信器間に異常高電圧が発生した場合でもリークに至る耐電圧を高めることができ、リーク電流による超音波送受信器の破損を防いで信頼性を向上でき、小型化が促進できる。さらに、開口穴での渦発生の低減と不要な超音波を開口穴内で多重反射により減衰させ、超音波の送受信レベルの向上とＳ／Ｎ特性を高めた超音波の送受信により、計測精度および流量計測できる上限値を高め、超音波の送受信レベル向上により超音波送受信器の駆動入力を低減して低入力化できる。
【００４９】
　また、本実施の形態では流入抑制体は電気絶縁材料で形成し、開口穴絶縁体の計測流路側の端部は流入抑制体に当接させたことにより、超音波送受信器を計測流路側により一層接近させて配置しても超音波送受信器と計測流路を形成する流路壁との間の導電距離を大きくでき、落雷などによる異常高電圧が発生した場合でもリークに至る耐電圧を高めることができ、リーク電流による超音波送受信器の破損を防止して信頼性を向上でき、さらに超音波送受信器を計測流路側により一層接近させて配置できるため小型化を一層促進できる。
【００５０】
　また、本実施の形態では流入抑制体と開口穴絶縁体は一体化したことにより、流入抑制体と開口穴絶縁体との当接部での電気絶縁性をより一層高めて信頼性を向上でき、流入抑制体と開口穴絶縁体との位置関係のバラツキを低減して計測精度の安定性を向上でき、さらに部品点数の削減により低コスト化できる。
【００５１】
　（実施の形態３）
　図８は本発明の実施の形態３を示す超音波流量計測装置の部分断面図を示し、ここでは下流側の開口穴１２部を示すが上流側の開口穴１１部も同様であり、また図１〜図５の実施の形態と同一部材、同一機能は同一符号を付し詳細な説明は省略し、異なるところを中心に説明する。
【００５２】
　３０は流入抑制体１４の開口窓１５の計測流路６側に設けた超音波透過体であり、この超音波透過体３０は超音波が通過可能な多数の微細な開口（図示せず）を持つとともに、流入抑制体１４に設けた凹部１４ａに超音波透過体３０の表面３０ａが流路壁６ａと略面一になるように取付けている。ここでは超音波透過体３０としてメッシュを用いており、メッシュの目の細かさとして＃５０〜＃５００程度のものが利用できる。なお、パンチング加工あるいはエッチング加工などによる穴明き板、ラス網、ガーゼや不織布などの布、穴明きフィルム、網目状樹脂成形品など小さい微細な開口を多数有するものも利用できる。
【００５３】
　超音波透過体３０を流路壁６ａと略面一に開口窓１５に設置することで、開口穴１２への被測定流体の流れ込みを大幅に低減できるので計測流路６での流れの乱れを低減でき、さらに開口穴１２内での渦の発生を大きく低減できる。さらに、流路体７と微細な開口を持つ超音波透過体３０で開口窓１５を覆った流入抑制体１４とを別部材化することで、計測流体の種類や計測すべき流量範囲に対して計測流路６を形成する流路体７は共通のままで、開口窓１５の形状や寸法あるいは超音波透過体３０の微細な開口の大きさを決めるメッシュの目の細かさを最適化して超音波の送受信感度を高めた流速あるいは流量の計測ができる。
【００５４】
　このように、流入抑制体は超音波が通過可能な多数の微細な開口を持つ超音波透過体を開口窓に備えたことにより、被計測流体の開口穴への流れ込みを大幅に低減し、開口穴内での渦の発生を大きく低減して渦による超音波の減衰を一層低減できる。このため、超音波の送受信レベルを一層向上してＳ／Ｎ特性を一層高めた超音波の送受信ができ、計測精度および流量計測できる上限値を向上できる。
【００５５】
　また、流入抑制体１４を熱可塑性の樹脂材料で形成し、超音波透過体３０を所定の位置に置いた後に流入抑制体１４を局所的に加熱して溶かし、流入抑制体１４に超音波透過体３０を確実に固着させることができる。特に、超音波透過体３０として金属性のメッシュを選定した場合では溶着作業が容易になるだけでなく、溶けた樹脂がメッシュの目の間に入り込むため、超音波透過体３０の表面３０ａでの平滑な面の割合を増加でき、凹凸の低減により計測流路６での流れを一層安定化できる。さらに、流入抑制体１４を形成する樹脂材料にグラスファイバーを２０〜３０％程度混入させることでメッシュ材料と同等程度の熱膨張率に低減し、加熱溶着作業後のメッシュで形成した超音波透過体３０部を平坦に維持でき、超音波透過体３０の表面３０ａの凹凸の発生を防止して計測流路６の流れを安定化できる。
【００５６】
　このように、流入抑制体は樹脂材料で形成し、超音波透過体を溶着接合したことにより、流入抑制体と超音波透過体とは面一に接合可能にでき、計測流路の流路壁と流入抑制体の超音波透過体の取付部の面一性を向上して計測流路壁面近傍での流れの乱れを防止して計測精度および流量計測できる上限値を向上できる。さらに、流入抑制体と超音波透過体との確実な一体化ができ、信頼性を向上できる。
【００５７】
　また、流入抑制体を形成する樹脂材料にグラスファイバーを混入させることにより、熱膨張率に低減して加熱溶着作業後の超音波透過体はその表面の平坦性に維持でき、凹凸の発生を防止して計測流路の流れを安定化できる。
【００５８】
　以上のように、本実施の形態においては流入抑制体は超音波が通過可能な多数の微細な開口を持つ超音波透過体を開口窓に備えたことにより、被計測流体の開口穴への流れ込みを大幅に低減でき、開口穴内での渦の発生を大きく低減して渦による超音波の減衰を一層低減でき、超音波の送受信レベルを一層向上してＳ／Ｎ特性を一層高めた超音波の送受信ができ、計測精度および流量計測できる上限値を向上できる。
【００５９】
　また、本実施の形態では流入抑制体は樹脂材料で形成し、超音波透過体を溶着接合したことにより、流入抑制体と超音波透過体とは面一に接合可能にでき、計測流路の流路壁と流入抑制体の超音波透過体の取付部の面一性を向上して計測流路壁面近傍での流れの乱れを防止して計測精度および流量計測できる上限値を向上でき、流入抑制体と超音波透過体との確実な一体化により信頼性を向上できる。
【００６０】
　また、本実施の形態では流入抑制体を形成する樹脂材料はグラスファイバーを混入させたことにより、熱膨張率に低減して加熱溶着作業後の超音波透過体はその表面の平坦性に維持でき、凹凸の発生を防止して計測流路の流れを安定化できる。
【００６１】
　なお、本実施の形態の応用として、図９に示す開口窓を設けない構成がある。この構成で、開口穴の開口部に超音波透過体を設けることにより、開口穴に直接流体が入り込むことなく、また、開口穴の断面積を縮めた開口窓１５がなくなったため、超音波の減衰が少なく感度が向上する。加えて、開口窓がある場合その内側によどみが生ずるが、それがないため、ゴミなどの蓄積が防止でき信頼性が向上する。
【００６２】
　（実施の形態４）
　図１０は本発明の実施の形態４を示す超音波流量計測装置の部分断面図を示し、ここでは下流側の開口穴１２部を示すが上流側の開口穴１１部も同様であり、また図１〜図６の実施の形態と同一部材、同一機能は同一符号を付し詳細な説明は省略し、異なるところを中心に説明する。
【００６３】
　３１は流入抑制体１４に設けた超音波を吸収する作用の有る吸音手段であり、吸音手段３１は流入抑制体１４の計測流路６側の表面１４ａに設けた吸音手段３１ａおよび超音波送受信器９側の裏面１４ｂに設けた吸音手段３１ｂで形成している。
【００６４】
　まず、下流側の超音波送受信器９から超音波を送信する場合で説明する。流入抑制体１４に吸音手段３１を設けることにより、超音波送受信器９から発信された超音波の内、開口窓１５を通過しない不要な超音波が流入抑制体１４の裏面１４ｂに設けた吸音手段３１ｂに当ると、吸音された残りは反射するものの不要な超音波は減衰が促進され、Ｓ／Ｎ特性を高めた超音波が受信側である上流側の超音波送受信器８に向かって送信される。
【００６５】
　次に、上流側の超音波送受信器８から超音波を送信し、下流側の超音波送受信器９で受信する場合で説明する。Ｓ／Ｎ特性を高めた超音波が受信側に伝搬し、下流側の流入抑制体１４の開口窓１５を通過して受信される。しかし、伝搬時の広がりにより下流側の開口窓１５に当った超音波は流入抑制体１４の表面１４ａに設けた吸音手段３１ａによって吸音されて減衰する。この流入抑制体１４の表面１４ａに設けた吸音手段３１ａによる吸音作用のため、多重反射の減衰が促進されてＳ／Ｎ特性を一層高めた超音波の送受信が可能になる。
【００６６】
　このように、流入抑制体は超音波の吸音手段を備えたことにより、開口窓を通過しない不要の超音波が流入抑制体に当った超音波は吸音されて不要な超音波の減衰を一層促進できる。このため、Ｓ／Ｎ特性を高めた超音波の送受信を一層高めて計測精度を向上できる。ここで、吸音手段は、流入抑制体１４の表面１４ａおよび裏面１４ｂにそれぞれ吸音手段３１ａ、３１ｂを設けたが、各々を単独で用いることも可能である。
【００６７】
　図１１は吸音手段の他の実施の形態を示す部分断面図であり、流入抑制体１４の計測流路６側の表面１４ａには超音波透過体３０および吸音手段３１ａが設けられ、超音波透過体３０があるところは超音波透過体３０の内側に吸音手段３１ａが配置されている。
【００６８】
　このため、超音波透過体３０による開口穴への流れ込みの低減と計測流路の流れ乱れの低減作用により超音波の減衰を一層低減でき、吸音手段３１による不要反射波の低減によるノイズ原因の除去作用により、超音波の送受信レベルを一層向上してＳ／Ｎ特性を一層高めた超音波の送受信ができ、計測精度および流量計測できる上限値を向上できる。
【００６９】
　また、流入抑制体１４を多孔性材料で形成することで、流入抑制体１４のコンパクト化と形状および寸法の安定化による吸音効果の安定化が可能となり、計測装置の小型化と信頼性の向上ができる。ここでは微細な連続気泡を有する発泡金属で形成することで機械的強度が十分確保でき、長期間にわたる信頼性を確保できる。
【００７０】
　以上のように、本実施の形態においては流入抑制体は超音波の吸音手段を備えたことにより、開口窓を通過しない不要の超音波が流入抑制体に当った超音波は吸音されて不要な超音波の減衰を一層促進でき、Ｓ／Ｎ特性を高めた超音波の送受信を一層高めて計測精度を向上できる。
【００７１】
　また、本実施の形態では流入抑制体は多孔性材料で形成したことにより、流入抑制体のコンパクト化と形状および寸法の安定化による吸音効果の安定化が可能となり、計測装置の小型化と信頼性の向上ができる。
【００７２】
　（実施の形態５）
　図１２は本発明の実施の形態５を示す超音波流量計測装置の部分断面図を示し、ここでは下流側の開口穴１２部を示すが上流側の開口穴１１部も同様であり、また図１〜図８の実施の形態と同一部材、同一機能は同一符号を付し詳細な説明は省略し、異なるところを中心に説明する。
【００７３】
　開口穴１２部には開口穴絶縁体２１および開口窓１５を設けた流入抑制体１４を設けるとともに、少なくとも開口穴絶縁体２１の内面２１ｃには吸音手段３１が設けられている。ここでは吸音手段３１として、流入抑制体１４の表面１４ａに設けた吸音手段３１ａと、流入抑制体１４の裏面１４ｂに設けた吸音手段３１ｂと、開口穴絶縁体２１の内面２１ｃに設けた吸音手段３１ｃを備えている。
【００７４】
　下流側の超音波送受信器９から超音波を送信する場合で説明する。開口穴絶縁体に２１の内面に吸音手段３１を設けることにより、超音波送受信器９から発信された超音波の内、側方に発信された超音波は開口穴絶縁体２１の内面２１ｃに設けた吸音手段３１ｃに当って減衰されることで側壁反射して開口窓１５を通過する成分を低減させ、開口窓１５を直接通過する直接波の割合を高めてより一層ノイズの少ない送信波形を受信側に送り、Ｓ／Ｎ特性を高めた超音波の送受信により計測精度を高め、計測可能な流量の上限値を高めることができる。さらに、開口穴絶縁体２１の電気絶縁性により、落雷などにより取付側の流路体と超音波送受信器間に異常高電圧が発生した場合でもリークに至る耐電圧を高め、リーク電流による超音波送受信器の破損を防いで信頼性を向上できる。
【００７５】
　このように、開口穴絶縁体は超音波の吸音手段を備えたことにより、超音波送受信器の側方に発信された不要な超音波は開口穴絶縁体に設けた吸音手段により吸音されて減衰を促進でき、開口窓を直接通過する直接波の割合を高めてより一層ノイズの少ない送信波形を得ることができる。このため、超音波の送受信レベルの向上とＳ／Ｎ特性を高めた超音波の送受信により、計測精度および流量計測できる上限値を高めることができ、開口穴絶縁体の電気絶縁性により落雷などにより取付側の流路体と超音波送受信器間に異常高電圧が発生した場合でもリークに至る耐電圧を高め、リーク電流による超音波送受信器の破損を防いで信頼性を向上できる。
【００７６】
　また、流入抑制体１４を電気絶縁性のある材料で形成し、開口穴絶縁体の一端および他端をそれぞれ振動伝達抑止体１０および流入抑制体１４に接して配置し、流入抑制体１４に吸音手段３１を設けることにより、超音波の不要反射波の減衰促進を一層高め、Ｓ／Ｎ特性を一層高めた超音波の送受信による計測精度および流量計測できる上限値が向上でき、また落雷などの異常高電圧が発生した場合でのリーク電流による超音波送受信器の破損を防止する信頼性を向上でき、さらに計測装置の小型化ができる。
【００７７】
　以上のように、本実施の形態においては開口穴絶縁体は超音波の吸音手段を備えたことにより、超音波送受信器の側方に発信された不要な超音波は開口穴絶縁体に設けた吸音手段により吸音されて減衰を促進でき、開口窓を直接通過する直接波の割合を高めてより一層ノイズの少ない送信波形を得ることができ、超音波の送受信レベルの向上とＳ／Ｎ特性を高めた超音波の送受信により、計測精度および流量計測できる上限値を高めることができ、開口穴絶縁体の電気絶縁性により落雷などにより取付側の流路体と超音波送受信器間に異常高電圧が発生した場合でもリークに至る耐電圧を高めることができ、リーク電流による超音波送受信器の破損を防いで信頼性を向上できる。
【００７８】
　なお、本実施の形態の応用として、図１３に示すように開口窓を設けず吸音手段を超音波送受信器を取り囲むように開口穴側面と流入抑制体の表面に備えた構成を示す。この構成では、開口穴の内面反射を低減して超音波のＳ／Ｎ特性を高め、さらに断面積が縮小する開口窓による減衰が発生しないので、感度を向上した超音波の送受信により計測精度を一層向上できる。さらに、開口窓の内側によどみ部がないため、ゴミなどの蓄積が防止でき信頼性が向上する。
【００７９】
　さらに、図１４の構成では、流入抑制体の表面の吸音手段を省いた構成を示す。流入抑制体１４の表面１４ａに凹凸の形状と成り易い吸音手段がなく、流路壁６ａ近傍の被計測流体の流れを乱すことを低減して、流速分布を安定化して計測精度を向上できる。
【００８０】
　（実施の形態６）
　図１５は本発明の実施の形態６を示す超音波流量計測装置の部分断面図を示し、ここでは下流側の開口穴１２部を示すが上流側の開口穴１１部も同様であり、またこれまでの実施の形態と同一部材、同一機能は同一符号を付し詳細な説明は省略し、異なるところを中心に説明する。
【００８１】
　開口穴１２に設けた開口穴絶縁体２１の超音波が通過する断面形状は、超音波送受信器９側から計測流路６側に向かうにつれて開口窓１５の形状および断面積にに漸近する形状としたものである。ここでは、超音波送受信器９側の断面形状を直径１４ｍｍ程度の円形とし、計測流路６側の断面形状は開口窓１５の形状である□８ｍｍ程度の角穴に近い形状として、途中は円形から角穴に順次滑らかに変化する形状としている。
【００８２】
　ここで、下流側の超音波送受信器９が受信側となる場合で説明する。上流側の超音波送受信器８から発信された超音波は、超音波伝搬路１３を伝搬して下流側の流入抑制体１４の開口窓１５を通過して開口穴１２に入る。開口穴１２内は開口穴絶縁体２１により超音波送受信器９に近づくにつれて通路断面が滑らかに拡大しているため、開口穴１２内での超音波の散逸が低減されて受信側の超音波送受信器９に到達し、受信感度を高めた信号を得ることができる。また、下流側の超音波送受信器９が送信側となる場合では、発信された超音波は開口窓１５に向かって滑らかに縮小する断面形状とした開口穴絶縁体２１により、広がりの少なく強度を高めた超音波として下流側の開口窓１５を通過して受信側である上流側の超音波送受信器８に伝搬させて感度を高めた超音波の送受信がなされる。
【００８３】
　以上のように、本実施の形態においては開口穴絶縁体の超音波が通過する断面形状は計測流路側に向かうにつれて開口窓の形状に漸近する形状としたことにより、開口窓を通過した超音波は開口穴内での散逸が低減されて受信側の超音波送受信器に到達でき、感度を高めた超音波の送受信により、計測精度および流量計測できる上限値を高めることができる。
【産業上の利用可能性】
【００８４】
　以上のように、本発明に係る超音波流量計測装置は、コンパクトな収納スペースでも開口穴絶縁体により超音波送受信器と開口穴を形成する流路体との間の導電距離を大きくし、落雷などにより取付側の流路体と超音波送受信器間に異常高電圧が発生した場合でもリークに至る耐電圧を高め、リーク電流による超音波送受信器の破損を防いで信頼性を向上でき、小型化が促進できるので、気体や液体の流量や流速の計測を行う超音波流量計測装置に適用できる。
【図面の簡単な説明】
【００８５】
【図１】本発明の実施の形態１の超音波流量計測装置の構成断面図
【図２】図１における開口穴部の部分断面図
【図３】本発明の実施の形態２の開口穴絶縁体を示す開口穴部の部分断面図
【図４】本発明の実施の形態２の他の開口穴絶縁体を示す開口穴部の部分断面図
【図５】同絶縁体の他の実施の形態を示す部分断面図
【図６】同絶縁体の別の実施の形態を示す部分断面図
【図７】同絶縁体のさらに他の実施の形態を示す部分断面図
【図８】本発明の実施の形態３の超音波透過体を示す開口穴部の部分断面図
【図９】本発明の実施の形態３の超音波透過体を示す開口穴部の部分断面図
【図１０】本発明の実施の形態４の吸音手段を示す開口穴部の部分断面図
【図１１】同吸音手段の他の開口穴部の部分断面図
【図１２】本発明の実施の形態５の開口穴絶縁体を示す開口穴部の部分断面図
【図１３】本発明の実施の形態５の他の開口穴絶縁体を示す開口穴部の部分断面図
【図１４】本発明の実施の形態５の別の開口穴絶縁体を示す開口穴部の部分断面図
【図１５】本発明の実施の形態６の開口穴絶縁体を示す開口穴部の部分断面図
【図１６】従来の超音波流量計測装置の構成断面図
【符号の説明】
【００８６】
　６　計測流路
　６ａ　流路壁
　８、９　超音波送受信器
　１１、１２　開口穴
　１４　流入抑制体
　１５　開口窓
　２１　開口穴絶縁体
　３０　超音波透過体
　３１　吸音手段
【図１】
2004037468.tif 000003
【図２】
2004037468.tif 000004
【図３】
2004037468.tif 000005
【図４】
2004037468.tif 000006
【図５】
2004037468.tif 000007
【図６】
2004037468.tif 000008
【図７】
2004037468.tif 000009
【図８】
2004037468.tif 000010
【図９】
2004037468.tif 000011
【図１０】
2004037468.tif 000012
【図１１】
2004037468.tif 000013
【図１２】
2004037468.tif 000014
【図１３】
2004037468.tif 000015
【図１４】
2004037468.tif 000016
【図１５】
2004037468.tif 000017
【図１６】
2004037468.tif 000018